(57)【要約】【解決手段】符号分割多元接続（ＣＤＭＡ）受信局は第一指（３１０）、第二指（３１２）、およびサーチャー（３１４）を含む。第二指の割当ておよび割当て解除は一つには、第一指および第二指との間のギャップ、または第一指とサーチャーにより検出されたエネルギーピークとの間のギャップを決定することにより成される。第二指（３１２）の割当ておよび割当て解除はまた一つには、適当なしきい値が交差したとき両方の指のための時間追跡ループ（ＴＴＬ）を選択的に遅くすることによりなされる。【選択図】図３
2004510386.tif 000002
【特許請求の範囲】
【請求項１】
符号分割多元接続（ＣＤＭＡ）無線受信器において第二指を割当てるための方法：
（ａ）前記方法は下記工程を具備する：
（１）第一指の割当てられたオフセットとサーチャーにより検出されるエネルギーピークのオフセットとの間のギャップを決定する；および
（２）前記ギャップが第１しきい値を超えるなら第二指を割当てる；および
（ｂ）前記方法は下記工程をさらに具備することにより特徴づけられる：
（１）前記ギャップが前記第１しきい値を越えるが前記第１しきい値より大きい第２しきい値を越えないなら前記第一指および第二指両方のための時間追跡ループの速度を落とす；および
（２）前記ギャップが前記第２しきい値を超えるなら前記第一指および前記第二指両方のための前記時間追跡ループの速度を維持する。
【請求項２】
前記第１しきい値は約３／４チップであり、前記第２しきい値は約１．５チップである、請求項１の方法。
【請求項３】
符号分割多元接続（ＣＤＭＡ）無線受信器において第二指の割当てを解除するための方法：
（ａ）前記方法は下記工程を具備する：
（１）第一指の割当てられたオフセットと、第二指の割当てられたオフセットとの間のギャップを決定する；および
（２）前記ギャップが第３しきい値未満ならば第二指の割当てを解除し、前記第一指のための時間追跡ループの速度を維持する；および
（ｂ）前記方法はさらに下記工程を具備することにより特徴づけられる：
（１）前記ギャップが前記第３しきい値以上であり、前記第３しきい値より大きい第４しきい値未満であるなら、前記第一指および前記第二指両方のための時間追跡ループの前記速度を落とす；および
（２）前記ギャップが前記第４しきい値を超えるなら前記第一指および前記第二指両方のための前記時間追跡ループの速度を維持する。
【請求項４】
前記第３しきい値は約３／４チップであり、前記第４しきい値は約１．５チップである、請求項３の方法。
【請求項５】
符号分割多元接続（ＣＤＭＡ）無線受信器において第二指を割当てるおよび割当てを解除するための方法：
（ａ）前記方法は下記工程を含む：
（１）第一指の割当てられたオフセットと、サーチャーにより検出されたエネルギーピークのオフセットとの間の第１ギャップを決定する；
（２）前記第１ギャップが第１しきい値を越えたなら第二指を割当てる；
（３）前記第一指の前記割当てられたオフセットと、前記第二指の割り当てられたオフセットとの間の第２ギャップを決定する；
（４）前記第２ギャップが第３しきい値未満なら前記第二指の割り当てを解除し、前記第一指の時間追跡ループの速度を維持する；および
（ｂ）前記方法はさらに下記工程を具備することにより特徴づけられる：
（１）前記第１ギャップが前記第１しきい値を越え、前記第１しきい値より大きい第２しきい値を越えないなら前記第一指および前記第二指両方のための時間追跡ループの前記速度を落とす；
（２）前記第１ギャップが前記第２しきい値を超えるなら前記第一指および前記第二指両方のための前記時間追跡ループの前記速度を維持する；
（３）前記第２ギャップが前記第３しきい値以上で、前記第３しきい値より大きい第４しきい値未満なら、前記第一指および前記第二指両方のための時間追跡ループの前記速度を落とす；および
（４）前記第２ギャップが前記第４しきい値を超えるなら前記第一指および前記第二指両方のための前記時間追跡ループの前記速度を維持する。
【請求項６】
前記第１および第３しきい値は約３／４チップであり、前記第２および第４しきい値は約１．５チップである。
【請求項７】
符号分割多元接続（ＣＤＭＡ）無線受信器において第二指を割当てるための装置：
（ａ）前記装置は下記手段を具備する：
（１）第一指の割当てられたオフセットおよびサーチャーにより検出されたエネルギーピークのオフセットとの間のギャップを決定する手段；および
（２）前記ギャップが第１しきい値を超えるなら第二指を割当てる手段；および
（ｂ）前記装置は、さらに下記手段を具備することにより特徴づけられる：
（１）前記ギャップが前記第１しきい値を超えるが前記第１しきい値より大きい第２しきい値を越えない場合、前記第一指および前記第二指両方のための時間追跡ループの速度を落とす手段；および
（２）前記ギャップが前記第２しきい値を越えるなら前記第一指および前記第二指両方の時間追跡ループの速度を維持する手段。
【請求項８】
前記第１しきい値は３／４チップであり、前記第２しきい値は１．５チップである、請求項７の装置。
【請求項９】
符号分割多元接続（ＣＤＭＡ）無線受信器において第二指の割当てを解除するための装置：
（ａ）前記装置は下記手段を具備する：
（１）第一指の割当てられたオフセットと前記第二指の割当てられたオフセットとの間のギャップを決定する手段；
（２）前記ギャップが第３しきい値未満なら第二指の割当てを解除し、前記第一指の時間追跡ループの速度を維持する手段；および
（ｂ）前記装置はさらに下記手段を具備することにより特徴づけられる：
（１）前記ギャップが前記第３しきい値以上で、前記第３しきい値より大きい第４しきい値未満なら、前記第一指と前記第二指両方のための時間追跡ループの速度を落とす手段；および
（２）前記ギャップが前記第４しきい値を超えるなら前記第一指および前記第二指両方の時間追跡ループの速度を維持する手段。
【請求項１０】
前記第３しきい値は３／４チップであり、前記第４しきい値は１．５
チップである、請求項９の装置。
【請求項１１】
符号分割多元接続（ＣＤＭＡ）無線受信器において第二指を割当ておよび割当てを解除するための装置：
（ａ）前記装置は下記手段を具備する：
（１）第一指の割当てられたオフセットとサーチャーにより検出されたエネルギーピークのオフセットとの間の第１ギャップを決定する手段；
（２）前記第１ギャップが第１しきい値を越えるなら第二指を割当てるための手段；
（３）第一指の前記割当てられたオフセットと前記第二指の割当てられたオフセットとの間の第２ギャップを決定する手段；および
（４）前記第２ギャップが第３しきい値未満なら第二指の割当てを解除し、前記第一指のための時間追跡ループを維持する手段；および
（ｂ）前記装置はさらに下記手段を具備することにより特徴づけられる：
（１）前記第１ギャップが第１しきい値を越えるが、前記第１しきい値より大きい第２しきい値を越えないなら前記第一指および前記第二指両方のための時間追跡ループの速度を落とす手段；
（２）前記第１ギャップが前記第２しきい値を越えたなら前記第一指および前記第二指両方のための時間追跡ループの速度を維持する手段；
（３）前記第２ギャップが前記第３しきい値以上で前記第３しきい値より大きい第４しきい値未満なら、前記第一指および前記第二指両方の時間追跡ループの速度を落とす手段；および
（４）前記第２ギャップが前記第４しきい値を超えるなら、前記第一指および前記第二指両方の時間追跡ループの速度を維持する手段。
【請求項１２】
前記第１および第３しきい値は約３／４チップであり、前記第２および第４しきい値は約１．５チップである、請求項１１の装置。
【発明の詳細な説明】
【０００１】
【発明の属する技術分野】
技術分野
［１００１］この発明は無線通信に関し、特に符号分割多元接続（ＣＤＭＡ）無線受信器における第二指をどのように割当ておよび割当て解除するかに関する。
【０００２】
【関連出願の記載】
背景技術
［１００２］符号分割多元接続（ＣＤＭＡ）システムは、周波数や時間は除外して、周波数帯域を複数のチャネルに分割するために符号を用い、複数のチャネルの各々は異なる送信器にアクセスするのでそういう名前が付けられている。符号は公知のシーケンスを介して循環する。サイクルの異なるオフセットは各送信器に割当てられている。受信器がそのオフセットを同じ値に設定すると、受信器は送信器からの信号を復調することができる。値が大部分異なると、受信した信号は、雑音としてのみ知覚される。オフセットは「チップ」で測定される。一般的なＣＤＭＡシステムは毎秒１．２２８８メガチップで動作する。サイクル当り３２，７６７（２１５−１）オフセットがあり、従って各サイクルはわずかに２６．６ミリ秒かかる。
【０００３】
［１００３］一般的な受信局はいくつかの受信局を含み、各々は「指」として知られている。一般に受信局は利用可能な４つの指を持つであろう。これにより、受信局は４つまでの異なる送信局からの信号を受信可能である。しかしながら、通常は、単一信号は送信局から受信局にいくつかのパス（「マルチパス」）をたどる。１つのパスは恐らく視野方向であろう。第２のパスは高層のガレージビルに反射するが、第３のパスはビルと乗り物に反射するであろう。これらのパスは異なる長さを有しているので、これらのパスに到着する信号は、恐らく、２０チップだけ異なるオフセットを持つであろう。それゆえ、受信局は異なる指を各オフセットに割当て、各指において信号を復調し、さらなる処理の準備のために、復調された信号を結合信号に結合する。
【０００４】
［１００４］一般的な受信局はまた「サーチャー（ｓｅａｒｃｈｅｒ）」と呼ばれる５番目の指を含む。これは、信号を復調することができないので、真の指ではない。しかしながら、５番目の指が可能なことは、大多数の異なるオフセットにおいてどんな信号強度が存在していても、非常に迅速に測定することである。従って５番目の指は新しいオフセットにおいて信号をスキャンする。また、５番目の指はすでに指が割当てられた４つのオフセットの各々を取り込み、割当てられたオフセットの数チップ先の信号強度および数チップ後の信号強度を測定する。
【０００５】
［１００５］受信した信号のオフセットが変わったと仮定する。恐らく、乗り物が移動したか、受信局が移動したかあるいはその他の変化が生じた。この事実は増加した先行するオフセットの信号強度および減少した後行するオフセットの信号強度により決定することができる（逆の場合も同じ）。従って、時間追跡ループ（ＴＴＬ）は指の割当てられたオフセットを調節する。
【０００６】
［１００６］異なるマルチパスからの信号が収束し（例えば乗り物がガレージビルに入って行くとき）、１つの指が割当てられ他の指の割当てが解除される場合があるであろう。また別の場合には、１つの信号が異なるマルチパスに発散し（例えば乗り物がガレージビルから出てくる）、２つの指を割当てる必要がある場合もあるであろう。
【０００７】
［１００７］割当てをするときおよび割当てを解除するときを判断する際、一般的な方法は良くなかった。割当てをするという判断のとき、サーチャーは指が現在割当てられているオフセット付近にあるオフセットのエネルギーピークがあると判断する。サーチャーはエネルギーピークのオフセットと指の割当てられたオフセットとの間のギャップを測定する。ギャップがしきい値を越えると、さらなる指が割当てられる。
【０００８】
［１００８］同様に、２つの異なる指のオフセット間のギャップが測定される。ギャップが（ヒステリシスを作成するように上述したパラグラフに記載されたしきい値とは異なる）しきい値より下がると、２つの指の弱いほうの指の割当てが解除される。
【０００９】
【課題を解決するための手段】
一つにはギャップを決定することにより、および一つには適当なしきい値が交差したとき時間追跡ループ（ＴＴＬ）を選択的に遅くすることにより第二指の割当ておよび割当て解除がなされる装置および方法が開示される。
【００１０】
［１０１０］最も広い割当ての観点において、符号分割多元接続（ＣＤＭＡ）無線受信器において第二指を割当てるための方法は以下の工程を含む。
【００１１】
第一指の割当てられたオフセットとサーチャーにより検出されたエネルギーピークのオフセットとの間のギャップを決定する；
前記ギャップが第１しきい値を超えたならば第二指を割当てる；
前記ギャップが前記第１しきい値を越え、前記第１しきい値より大きい第２しきい値を越えないならば、第一指および第二指の両方のために時間追跡ループの速度を落とす；および
前記ギャップが前記第２しきい値を越えたなら第一指および第二指の両方のために時間追跡ループの速度を維持する。
【００１２】
［１０１１］最も広い割当て解除の観点において、符号分割多元接続（ＣＤＭＡ）無線受信器において第二指の割当てを解除する方法は以下の工程を含む。
【００１３】
第一指の割当てられたオフセットと第二指の割当てられたオフセットとの間のギャップを決定する；
前記ギャップが第３しきい値未満ならば第二指の割当てを解除し、前記第一指のための時間追跡ループの速度を維持する；
前記ギャップが第３しきい値以上であり、前記第３しきい値より大きい第４しきい値未満であるなら前記第一指および前記第二指の両方のための時間追跡ループの速度を落とす；および
前記ギャップが前記第４しきい値を超えるなら前記第一指および前記第二指の両方のための時間追跡ループの速度を維持する。
【００１４】
【発明の実施の形態】
［１０１５］図１は第二指を割当てるための方法１００のフローチャートを示す。第１ステップ１０２において、現在の指の割当てられたオフセットと、サーチャー（ｓｅａｒｃｈｅｒ）により決定される近くのエネルギーピークのオフセットとの間のギャップが第１しきい値を越えたか否か判断する。第１しきい値は望ましくはチップの３／４である。ギャップがこのしきい値を越えていないなら第１の判断１０４は第二指を割当てないことである。
【００１５】
［１０１６］第２ステップ１０６において、現在の指の割当てられたオフセットと、サーチャーにより決定された近くのエネルギーピークのオフセットとの間のギャップが第１しきい値より大きい第２しきい値を越えているか否か判断する。第２しきい値は望ましくは１．５チップである。ギャップがこのしきい値を越えないなら（すなわちギャップが第１しきい値と第２しきい値との間にあるとき）、第２の判断１０８は第二指を割当てかつ両方の指に関する時間追跡ループ（ＴＴＬ）の速度を落とすことである。速度を落とす量は、すぐに適用できるように、両方のマルチパスを介して来る信号を迅速に追跡する重要性と、第二指の割当てと割当て解除を過度にしないこととのトレードオフにより決定される。
【００１６】
［１０１７］ギャップが３／４乃至１．５チップの範囲にあるとき、信号を個別に復調することにより全体の信号品質が改良されるように別個のマルチパス上で受信される信号は十分識別可能である。しかしながら、たとえ２つの受信した信号のオフセットが急激に変化しているように見えても、これらの指の割当てられたオフセットを急激に変化させるべきでない。割当てられたオフセットが急激に変化すると、ギャップが突然この範囲からはずれ、また突然にこの範囲に戻ってくることになり得る。これはさらなる指の過度の割当てと割当て解除をまたは時間追跡ループの過度の速度低下および速度上昇を引き起こす。そのような過度の行動は望ましくない。
【００１７】
［１０１８］ギャップが第２しきい値（望ましくは１．５チップ）を越えたなら、第３の判断１１０は余分な指を割当て、両方の指の時間追跡ループを常用の高速に維持することである。図２の説明で以下に述べる理由により、ギャップが過度的に１．５チップを下回ることは重要ではない。
【００１８】
［１０１９］図２は２つの指の一方を割当て解除するための方法２００のフローチャートを示す。第３ステップ２０２において、第一指の割当てられたオフセットと、第二指の割当てられたオフセットとの間のギャップ（「第２ギャップ」）が第３しきい値未満か否か判断する。第３しきい値は第１しきい値と同じであることが望ましく、従って１チップの３／４が望ましい。ギャップがこの第３しきい値未満ならば、第４の判断２０４は指の１つの割当てを解除し、残りの指の時間追跡ループの通常（高速）動作を可能にすることである。
【００１９】
［１０２０］第４ステップ２０６において、指の割当てられたオフセット間のギャップが、第３しきい値より大きい第４しきい値未満か否かの判断がなされる。第４しきい値は第２しきい値と同じであることが望ましく、従って１．５チップであることが望ましい。ギャップがこの第４しきい値未満（すなわち、ギャップが第３しきい値と第４しきい値との間にある）なら、第５の判断２０８は両方の指を継続し、かつ両方の指に関して時間追跡ループ（ＴＴＬ）の速度を落とすことである。
【００２０】
［１０２１］ギャップが第４しきい値以上であるとき、第６の判断はそのまますべてを継続することである。この判断は２つの観点を有する。
【００２１】
［１０２２］第１に（ギャップがかなりの時間１．５チップを超えたために）、両方のＴＴＬが低速で動作していたなら、両方のＴＴＬは継続して低速で動作する。これは２つの信号が合併する可能性が無い典型的な状況であり、それゆえ、迅速かつ個別に追跡すべきである。
【００２２】
「１０２３」第２に、（たった今ギャップが１．５チップを越えたために）両方のＴＴＬが低速で動作していたなら、両方のＴＴＬは低速で動作し続ける。従って、ギャップが過度的に１．５チップより下に後退したとしても、何も変わらない。信号が合併したと考えられ、指の一方の割当てが解除されるのは、ギャップが１チップの３／４を下回ったときのみである。これは、２つの信号が最終的には合併する可能性があり、それゆえ、反復的に合併および分離しないようにゆっくりと追跡すべき典型的な状況である。
【００２３】
［１０２４］図１の方法は、図２の方法と容易に結合可能である。
【００２４】
［１０２５］図３は上記方法を実行するのに適した装置３００を示す。送信局３０２は第１マルチパス３０４および第２マルチパス３０６に沿って受信局３０８に信号を送信する。受信局３０８は第一指３１０、第二指３１２、サーチャー３１４、およびデサイダー（ｄｅｃｉｄｅｒ）３１６を含む。デサイダーは指を割当てるかまたは割当てを解除するか否かを決定するために使用される。第一指３１０は第１マルチパス３０４に沿って受信する。
【００２５】
［１０２６］第二指３１２が第２マルチパス３０６に沿って信号をまだ受信していないとき、サーチャー３１４はその信号を第２マルチパス３０６に沿って受信する。サーチャー３１４は第２マルチパス３０６に沿った信号により作成されたエネルギーピークのオフセットロケーションを決定する。従って、デサイダー３１６は第一指の割当てられたオフセットとエネルギーピークのオフセットとの間のギャップを決定する。次に、デサイダーは図１で述べたように第二指３１２をこのエネルギーピークに割当てるべきか否かを判断する。
【００２６】
［１０２７］技術的に知られているように（それゆえ図３に示されていない）、各指の時間追跡ループ（ＴＴＬ）をその指内に含めても良いし、または共通のＴＴＬを使用しても良い。
【００２７】
［１０２８］第二指３１２が第２マルチパス３０６に沿って信号を受信しているとき、デサイダー３１６は２つの指の割当てられたオフセットを決定し、従って、割当てられたオフセット間のギャップを決定する。次に、デサイダー３１６は図２で述べたように第２マルチパス３０６から第二指３１２の割当てを解除するか否かを判断する。
【００２８】
産業上の利用性
［１０２９］この発明は産業上で利用することができ、第二指の割当または割当て解除を希望するときはいつでも作成し使用することができる。発明としてクレームされているのは個々の構成要素の組み合わせなので、ここに示される装置および方法の個々の構成要素は、それぞれ個別に取り出してみると全体的に一般的かも知れない。
【００２９】
［１０３０］種々のモードの装置および方法について記載したが、この発明の真の精神と範囲はそれらに限定されるものではなく、以下のクレームおよびその均等物によってのみ限定される。そしてそのようなものが発明としてクレームされる。
【図面の簡単な説明】
【図１】
［１０１２］図１はさらなる指を割当てるための方法１００のフローチャートを示す。
【図２】
［１０１３］図２は２つの指の一方の割当てを解除するための方法２００のフローチャートを示す。
【図３】
［１０１４］図３は上記方法を実行するために適した装置３００を示す。
【図１】
2004510386.tif 000003
【図２】
2004510386.tif 000004
【図３】
2004510386.tif 000005
【国際公開パンフレット】
2004510386.tif 000006
2004510386.tif 000007
2004510386.tif 000008
2004510386.tif 000009
2004510386.tif 000010
2004510386.tif 000011
2004510386.tif 000012
2004510386.tif 000013
2004510386.tif 000014
2004510386.tif 000015
2004510386.tif 000016
2004510386.tif 000017
2004510386.tif 000018
2004510386.tif 000019
2004510386.tif 000020
2004510386.tif 000021
2004510386.tif 000022
【国際公開パンフレット（コレクトバージョン）】
2004510386.tif 000023
2004510386.tif 000024
【国際調査報告】
2004510386.tif 000025
2004510386.tif 000026
2004510386.tif 000027